(57)【要約】【課題】壁際の集塵性の良い電気掃除機用吸込具および電気掃除機を提供することを目的としている。【解決手段】塵埃を吸引する下方開口の吸込口７と、前記吸込口７から塵埃を吸い込むための通風路を形成する接続管２と、前記吸込口７の周囲に設けられた塵埃除去体（１９、２０）を備え、前記塵埃除去体（１９、２０）を電動機により被掃除面に対して水平方向に移動させるもので、壁際の塵埃の除去と吸引口内へ空気を流れの両立が可能で、操作性も確保でき、かつ壁際の集塵性の良い電気掃除機用吸込具および電気掃除機を提供できる。【選択図】　図３
2004024456.tif 000002
【特許請求の範囲】
【請求項１】
塵埃を吸引する下方開口の吸込口と、前記吸込口から塵埃を吸い込むための通風路を形成する接続管と、前記吸込口の周囲に設けられた塵埃除去体を備え、前記塵埃除去体を電動機により被掃除面に対して水平方向に移動させる電気掃除機用吸込具。
【請求項２】
塵埃を吸引する下方開口の吸込口と、前記吸込口から塵埃を吸い込むための通風路を形成する接続管と、前記吸込口の周囲に設けられた塵埃除去体を備え、前記塵埃除去体をソレノイドにより被掃除面に対して水平方向に移動させる電気掃除機用吸込具。
【請求項３】
塵埃を吸引する下方開口の吸込口と、前記吸込口から塵埃を吸い込むための通風路を形成する接続管と、前記吸込口の周囲に設けられた塵埃除去体を備え、前記塵埃除去体を電動機により被掃除面に対して上下方向に移動させる電気掃除機用吸込具。
【請求項４】
塵埃を吸引する下方開口の吸込口と、前記吸込口から塵埃を吸い込むための通風路を形成する接続管と、前記吸込口の周囲に設けられた塵埃除去体を備え、前記塵埃除去体をソレノイドにより被掃除面に対して上下方向に移動させる電気掃除機用吸込具。
【請求項５】
塵埃除去体を複数備えた請求項１〜４のいずれか１項に記載の電気掃除機用吸込具。
【請求項６】
複数の塵埃除去体を互いに異なる方向に移動させる請求項５記載の電気掃除機用吸込具。
【請求項７】
塵埃を吸引する下方開口の吸込口と、前記吸込口から塵埃を吸い込むための通風路を形成する接続管と、前記吸込口の周囲に設けられた塵埃除去体と、前記塵埃除去体に連結した凸部を備え、前記凸部が押されたとき、前記塵埃除去体を被掃除面に対して水平方向に移動させる電気掃除機用吸込具。
【請求項８】
塵埃を吸引する下方開口の吸込口と、前記吸込口から塵埃を吸い込むための通風路を形成する接続管と、前記吸込口の周囲に設けられた塵埃除去体と、前記塵埃除去体に連結した凸部を備え、前記凸部が押されたとき、前記塵埃除去体を被掃除面に対して上下方向に移動させる電気掃除機用吸込具。
【請求項９】
吸込口の前方に塵埃除去体を設けた請求項１〜８のいずれか１項に記載の電気掃除機用吸込具。
【請求項１０】
塵埃除去体は弾性材にて吸込具本体と連結され、かつ可動部材を介して凸部と連結しており、前記凸部が押されたときのみ、前記塵埃除去体は前記弾性材が伸びる方向または縮む方向に移動する請求項７または８記載の電気掃除機用吸込具。
【請求項１１】
吸引風を発する電動送風機を内蔵した掃除機本体に、上記請求項１〜１０のいずれか１項に記載の電気掃除機用吸込具を連通可能とした電気掃除機。
【発明の詳細な説明】
【０００１】
【発明の属する技術分野】
本発明は、集塵性能の向上を得る事を図った電気掃除機用吸込具および電気掃除機に関するものである。
【０００２】
【従来の技術】
以下に従来の電気掃除機用吸込口及びそれを用いた電気掃除機の構成を図１１〜図１３を用いて説明する。
【０００３】
まず、電気掃除機の全体構成を図１１を用いて説明すると、吸込具４１には接続管４２を介して延長管４３が接続され、延長管４３の他端には手元操作部４４が接続され、手元操作部４４の後方にはホース４５が接続され、ホース４５の他端は掃除機本体４６の接続口４６ｂに接続されていて、掃除機本体４６に内設された吸引風を発する電動送風機４６ａに連通する塵埃通路（図示せず）をそれぞれ内部に形成している。
【０００４】
次に、図１２、図１３にて、吸込具４１の構成を説明すると、吸込具４１には、塵埃を吸引する吸込口４７を有する集塵室４７ａに連通し、吸込具４１に保持された接続管４２を配している。また、集塵室４７ａ内には、塵埃かき上げ体として複数のブラシ４８を有する回転ブラシ４９を配し、この回転ブラシ４９は、電動機（図示せず）からベルト（図示せず）を介して回転力を伝達され、回転する構成となっている。また、吸込具４１の支持体として、吸込口４７の前方には、左右一対で吸込具４１へ固定された固定起毛布５０と、吸込具４１の後端には、吸込具４１へ回転自在に固定された回転ローラー５１を配している。また、集塵室４７ａを構成する吸込口の壁の一つである前壁５２は、略垂直方向に立ち上がっており、前壁５２の下端は、後方に向かって湾曲し吸込口４７を形成している。ここで、前壁５２には、吸込具４１を前後方向から見て凹凸となる窪み部５３を形成していると共に、前壁５２の下端は、固定起毛布の取付部下端５４と略同一高さに形成している。
【０００５】
上記構成により、吸込具４１は、左右一対の固定起毛布５０と回転ローラー５１により支持され、掃除機本体４６より吸引がかかると、被掃除面の塵埃は回転ブラシ４９が回転することでかき上げられ、接続管４２、延長管４３、ホース４５を介して掃除機本体４６に吸引される。
【０００６】
【発明が解決しようとする課題】
しかしながら上記従来の構成では、固定起毛布５０が設けられている部分では、壁際の塵埃の除去が十分可能であるが、操作性および集塵性能を考慮して集塵室４７ａの真空圧を調整するため、窪み部５３を形成して、前記集塵室４７ａ内へ空気を流れるようにする必要がある。しかしながら、特に絨毯上では窪み部５３が閉塞ぎみとなり、前記集塵室４７ａ内へ空気を流れが悪くなり、壁際の塵埃をしっかりと除去できなかった。従来例においては、前壁５２にて述べたが、側方および後方を形成する壁についても前壁５２と同じように、空気の流れがなく壁際の塵埃をしっかりと除去できなかった。
【０００７】
本発明は、以上のような従来の課題を解決しようとするものであって、操作性も確保でき、かつ壁際の集塵性の良い電気掃除機用吸込具および電気掃除機を提供することを目的としている。
【０００８】
【課題を解決するための手段】
上記目的を達成するために本発明は、塵埃を吸引する下方開口の吸込口と、前記吸込口から塵埃を吸い込むための通風路を形成する接続管と、前記吸込口の周囲に設けられた塵埃除去体を備え、前記塵埃除去体を電動機により被掃除面に対して水平方向に移動させるもので、塵埃除去体を被掃除面に対して水平方向に移動させることにより、壁際の塵埃の除去と吸引口内へ空気を流れの両立が可能で、操作性も確保でき、かつ壁際の集塵性の良い電気掃除機用吸込具および電気掃除機を提供できる。
【０００９】
【発明の実施の形態】
本発明の請求項１に記載の発明は、塵埃を吸引する下方開口の吸込口と、前記吸込口から塵埃を吸い込むための通風路を形成する接続管と、前記吸込口の周囲に設けられた塵埃除去体を備え、前記塵埃除去体を電動機により被掃除面に対して水平方向に移動させるもので、壁際の塵埃の除去と吸引口内へ空気を流れの両立が可能で、操作性も確保でき、かつ壁際の集塵性の良い電気掃除機用吸込具を提供できる。また、複雑な機構を用いることがなく修理等の際のメンテナンスが容易に行うことが可能である。
【００１０】
本発明の請求項２に記載の発明は、塵埃を吸引する下方開口の吸込口と、前記吸込口から塵埃を吸い込むための通風路を形成する接続管と、前記吸込口の周囲に設けられた塵埃除去体を備え、前記塵埃除去体をソレノイドにより被掃除面に対して水平方向に移動させるもので、壁際の塵埃の除去と吸引口内へ空気を流れの両立が可能で、操作性も確保でき、かつ壁際の集塵性の良い電気掃除機用吸込具を提供できる。また、複雑な機構を用いることがなく修理等の際のメンテナンスが容易に行うことが可能である。
【００１１】
本発明の請求項３に記載の発明は、塵埃を吸引する下方開口の吸込口と、前記吸込口から塵埃を吸い込むための通風路を形成する接続管と、前記吸込口の周囲に設けられた塵埃除去体を備え、前記塵埃除去体を電動機により被掃除面に対して上下方向に移動させるもので、壁際の塵埃の除去と吸引口内へ空気を流れの両立が可能で、操作性も確保でき、かつ壁際の集塵性の良い電気掃除機用吸込具を提供できる。また、複雑な機構を用いることがなく修理等の際のメンテナンスが容易に行うことが可能である。さらに、上下運動によって被掃除面をたたき塵埃をたたき出すことによってより大きな集塵効果もある。
【００１２】
本発明の請求項４に記載の発明は、塵埃を吸引する下方開口の吸込口と、前記吸込口から塵埃を吸い込むための通風路を形成する接続管と、前記吸込口の周囲に設けられた塵埃除去体を備え、前記塵埃除去体をソレノイドにより被掃除面に対して上下方向に移動させるもので、壁際の塵埃の除去と吸引口内へ空気を流れの両立が可能で、操作性も確保でき、かつ壁際の集塵性の良い電気掃除機用吸込具を提供できる。また、複雑な機構を用いることがなく修理等の際のメンテナンスが容易に行うことが可能である。さらに、上下運動によって被掃除面をたたき塵埃をたたき出すことによってより大きな集塵効果もある。
【００１３】
本発明の請求項５に記載の発明は、塵埃除去体を複数備えたもので、塵埃除去体を移動させる駆動力が分散され、駆動源の耐久性を向上できる。
【００１４】
本発明の請求項６に記載の発明は、複数の塵埃除去体を互いに異なる方向に移動させるもので、壁際の塵埃の除去と吸引口内へ空気を流れの両立が可能でかつバランスも向上でき、操作性も確保でき、かつ壁際の集塵性の良い電気掃除機用吸込具を提供できる。
【００１５】
本発明の請求項７に記載の発明は、塵埃を吸引する下方開口の吸込口と、前記吸込口から塵埃を吸い込むための通風路を形成する接続管と、前記吸込口の周囲に設けられた塵埃除去体と、前記塵埃除去体に連結した凸部を備え、前記凸部が押されたとき、前記塵埃除去体を被掃除面に対して水平方向に移動させるもので、壁際の塵埃の除去と吸引口内へ空気を流れの両立が可能で、操作性も確保でき、かつ壁際の集塵性の良い電気掃除機用吸込具を提供できる。また、低ランニングコストで実現できる。
【００１６】
本発明の請求項８に記載の発明は、塵埃を吸引する下方開口の吸込口と、前記吸込口から塵埃を吸い込むための通風路を形成する接続管と、前記吸込口の周囲に設けられた塵埃除去体と、前記塵埃除去体に連結した凸部を備え、前記凸部が押されたとき、前記塵埃除去体を被掃除面に対して上下方向に移動させるもので、壁際の塵埃の除去と吸引口内へ空気を流れの両立が可能で、操作性も確保でき、かつ壁際の集塵性の良い電気掃除機用吸込具を提供できる。また、低ランニングコストで実現できる。さらに、上下運動によって被掃除面をたたき塵埃をたたき出すことによってより大きな集塵効果もある。
【００１７】
本発明の請求項９に記載の発明は、吸込口の前方に塵埃除去体を設けたもので、吸込具は一般的に吸込口の前方が長手方向であり、かつ壁際の塵埃の除去の機会は吸込口の前方が最も多いため、効果大である。
【００１８】
本発明の請求項１０に記載の発明は、塵埃除去体は弾性材にて吸込具本体と連結され、かつ可動部材を介して凸部と連結しており、前記凸部が押されたときのみ、前記塵埃除去体は前記弾性材が伸びる方向または縮む方向に移動するもので、壁際の塵埃の除去と吸引口内へ空気を流れの両立が可能で、操作性も確保でき、かつ壁際の集塵性の良い電気掃除機用吸込具を提供できる。また、低ランニングコストで実現できる。さらに、複雑な機構を用いることがなく低コストで実現できる。
【００１９】
本発明の請求項１１に記載の発明は、吸引風を発する電動送風機を内蔵した掃除機本体に、上記請求項１〜１０のいずれか１項に記載の電気掃除機用吸込具を連通可能とした電気掃除機で、壁際の塵埃の除去と吸引口内へ空気を流れの両立が可能で、操作性も確保でき、かつ壁際の集塵性の良い電気掃除機用吸込具および電気掃除機を提供できる。
【００２０】
【実施例】
（実施例１）
以下に本発明の第１の実施例を、図１〜図４を用いて説明する。
【００２１】
まず、電気掃除機の全体構成を図１を用いて説明すると、吸込具１には接続管２を介して延長管３が接続され、延長管３の他端には手元操作部４が接続され、手元操作部４の後方にはホース５が接続され、ホース５の他端は掃除機本体６の接続口６ｂに接続されていて、掃除機本体６に内設された吸引風を発する電動送風機６ａに連通する塵埃通路（図示せず）をそれぞれ内部に形成している。
【００２２】
次に、吸込具１の構成を説明すると、塵埃を吸引する吸込口７を有する集塵室７ａを形成する吸込具１の本体１ａと、前記集塵室７ａに連通し、吸込具１の本体１ａに保持され、内部に塵埃通路２ａを有する接続管２から吸込具１は構成されている。ここで、接続管２は、吸込具１の本体１ａを壁際等に沿って移動させ易いように、吸込具１の本体１ａの集塵室７ａを形成する壁部である前壁８に対して略平行になるまで回動する回動機構を有している。また、集塵室７ａ内には、塵埃かき上げ体として複数の毛ブラシ９を有する回転ブラシ１０を配し、この回転ブラシ１０は、電動機３５からベルト３６を介して回転力を伝達され、回転する構成となっている。また、吸込口７の前方には、左右一対で吸込具１へ固定された固定起毛布１１と、吸込口７の後方には、左右一対で吸込具１へ固定された固定起毛布Ａ１２と、吸込具１の本体１ａ後方には、吸込具１へ回転自在に固定された起毛布ローラー１３を配している。ここで、固定起毛布１１は、吸込具１の前壁８から下面１５にかけて略Ｌ字状に湾曲させていると共に、固定起毛布１１には、吸込具１の前後方向と一致し、前方から後方にかけて倒れる方向に倒伏加工を施している。
【００２３】
また、吸込口７の前部には長手方向に摺動自在になるように左右一対に塵埃除去体Ａ１９、Ｂ２０を配し、これらの塵埃除去体は、バネＡ２１、Ｂ２２によって保持されそれぞれ電動機Ａ２３、Ｂ２４からカムＡ２５、Ｂ２６を介して回転運動を直線運動に変換されて長手方向に駆動される。
【００２４】
上記構成により、吸込具１は、左右一対の固定起毛布Ａ１１と起毛布ローラー１３により支持され、掃除機本体６より吸引がかかると、被掃除面の塵埃は回転ブラシ１０が回転し、塵埃除去体Ａ１９、Ｂ２０が長手方向にそれぞれ位相が１８０度異なって駆動することでかき上げられ、接続管２、延長管３、ホース５を介して掃除機本体６に吸引される。また壁等の隅部に接触した時に塵埃除去体Ａ１９、Ｂ２０は駆動される。
【００２５】
このように、塵埃除去体Ａ１９、Ｂ２０を長手方向に駆動させることにより塵埃除去体を吸込具１前方等に配置することが可能になり、従来の回転ブラシでは掻き上げることができなかった吸込具１前方等隅部の掃除することが可能であり、また駆動源として電動機Ａ２３、Ｂ２４を使うことによって価格の低い吸込具を消費者に提供することができる。さらに、壁等の隅部に接触した時だけ駆動させることにより駆動時間を短くして消費電力を低下させることができ効率のよい掃除をすることが可能である。また、それぞれ位相を１８０度異なって駆動させることによって位相を同じにしたとき吸込具を同一方向に動かそうとする力が生じることを防ぐことができ、塵埃を吸込具中央部に集める効率よく集塵することが可能である。本実施例では電動機Ａ２３、Ｂ２４を用いたが代わりの駆動源としてソレノイドを用いても同様の効果が得られることは明らかであり、その場合カムを用いずにそのまま直線運動を利用できるため複雑な機構を用いることがなく修理等の際のメンテナンスが容易に行うことが可能である。
【００２６】
（実施例２）
以下に本発明の第２の実施例を、図５を用いて説明する。なお、上記第１の実施例と同一部品については、同一符号を付し、その説明は省略する。
【００２７】
吸込口７の前部には長手方向に摺動自在になるように左右一対に塵埃除去体Ａ１９、Ｂ２０を配し、これらの塵埃除去体は、バネＡ２１、Ｂ２２によって保持されそれぞれ突出物Ａ２７、Ｂ２８が壁等に接触して動きリンクＡ２９、Ｂ３０を介して長手方向に駆動される。
【００２８】
このように、塵埃除去体Ａ１９、Ｂ２０を長手方向に駆動させることにより塵埃除去体を吸込具１前方等に配置することが可能になり、従来の回転ブラシでは掻き上げることができなかった吸込具１前方等隅部の掃除することが可能であり、駆動源を壁等に接触した力を利用するため電動機等が不要であり消費電力を０にでき、軽量で価格の低い吸込具を消費者に提供することができる。
【００２９】
（実施例３）
以下に本発明の第３の実施例を、図６、図７を用いて説明する。なお、上記第１〜２の実施例と同一部品については、同一符号を付し、その説明は省略する。
【００３０】
吸込口７の前部には垂直方向に上下に摺動自在になるようにＡ１９を配し、これらの塵埃除去体は、バネＡ２１によって保持されそれぞれ電動機Ａ２３からカムＡ２５を介して回転運動を直線運動に変換されて垂直方向に上下に駆動される。
【００３１】
上記構成により、吸込具１は、左右一対の固定起毛布Ａ１１と起毛布ローラー１３により支持され、掃除機本体６より吸引がかかると、被掃除面の塵埃は回転ブラシ１０が回転することで掻き上げられ、また塵埃除去体Ａ１９が垂直方向に上下に駆動することでたたき出され、接続管２、延長管３、ホース５を介して掃除機本体６に吸引される。また壁等の隅部に接触した時に塵埃除去体Ａ１９は駆動される。
【００３２】
このように、塵埃除去体Ａ１９を垂直方向に上下に駆動させることにより塵埃除去体を吸込具１前方等に配置することが可能になり、従来の回転ブラシでは掻き上げることができなかった吸込具１前方等隅部の掃除することが可能であり、また駆動源として電動機Ａ２３を使うことによって価格の低い吸込具を消費者に提供することができる。さらに、壁等の隅部に接触した時だけ駆動させることにより駆動時間を短くして消費電力を低下させることができ効率のよい掃除をすることが可能である。本実施例では電動機Ａ２３を用いたが代わりの駆動源としてソレノイドを用いても同様の効果が得られることは明らかであり、その場合カムを用いずにそのまま直線運動を利用できるため複雑な機構を用いることがなく修理等の際のメンテナンスが容易に行うことが可能である。
【００３３】
（実施例４）
以下に本発明の第４の実施例を、図８を用いて説明する。なお、上記第１〜３の実施例と同一部品については、同一符号を付し、その説明は省略する。
【００３４】
吸込口７の前部には垂直方向に上下に摺動自在になるように塵埃除去体Ａ１９を配し、これらの塵埃除去体は、バネＡ２１によって保持されそれぞれ突出物Ａ２７が壁等に接触して動きリンクＡ２９を介して垂直方向に上下に駆動される。
【００３５】
このように、塵埃除去体Ａ１９を垂直方向に上下に駆動させることにより塵埃除去体を吸込具１前方等に配置することが可能になり、従来の回転ブラシでは掻き上げることができなかった吸込具１前方等隅部の掃除することが可能であり、駆動源を壁等に接触した力を利用するため電動機等が不要であり消費電力を０にでき、軽量で価格の低い吸込具を消費者に提供することができる。
【００３６】
（実施例５）
以下に本発明の第５の実施例を、図９、図１０を用いて説明する。なお、上記第１〜４の実施例と同一部品については、同一符号を付し、その説明は省略する。
【００３７】
吸込口７の前部には下方開口部３１と開口部３１を塞ぐ吸込具１前方に突出部Ｃ３２を備えバネＣ３３で規制された可動部材３４を設け、壁等に接触した時に可動部材３４が移動し開口部３１を開く。
【００３８】
このように、開口部３１を吸込具１前方に設けることによって従来の回転ブラシでは掻き上げることができなかった吸込具１前方等隅部の掃除することが可能であり、また駆動源を壁等に接触した力を利用するため電動機等が不要であり消費電力を０にでき、軽量で価格の低い吸込具を消費者に提供することができる。さらに可動部材が開口部を塞いでいる通常掃除状態においては吸込口７内の圧力を高く維持することができ集塵力を高めることが可能である。
【００３９】
【発明の効果】
本発明によれば、低価格で壁際の集塵性の良い電気掃除機用吸込具および電気掃除機を提供できる。
【図面の簡単な説明】
【図１】本発明の第１の実施例を示す電気掃除機の全体図
【図２】同電気掃除機用吸込具の正面図
【図３】同電気掃除機用吸込具の下面図
【図４】同電気掃除機用吸込具の上面図
【図５】本発明の第２の実施例を示す電気掃除機用吸込具の上面図
【図６】本発明の第３の実施例を示す電気掃除機用吸込具の正面図
【図７】図６のＡ−Ａ断面図
【図８】本発明の第４の実施例を示す図６のＡ−Ａ断面図
【図９】本発明の第５の実施例を示す電気掃除機用吸込具の下面図
【図１０】図９のＢ−Ｂ断面図
【図１１】従来例の電気掃除機の全体図
【図１２】同電気掃除機用吸込具の正面図
【図１３】同電気掃除機用吸込具の下面図
【符号の説明】
１　吸込具
２　接続管
７　吸込口
１０　回転ブラシ
１９　塵埃除去体Ａ
２０　塵埃除去体Ｂ
２１　バネＡ
２２　バネＢ
２３　電動機Ａ
２４　電動機Ｂ
３１　開口部
３４　可動部材
【図１】
2004024456.tif 000003
【図２】
2004024456.tif 000004
【図３】
2004024456.tif 000005
【図４】
2004024456.tif 000006
【図５】
2004024456.tif 000007
【図６】
2004024456.tif 000008
【図７】
2004024456.tif 000009
【図８】
2004024456.tif 000010
【図９】
2004024456.tif 000011
【図１０】
2004024456.tif 000012
【図１１】
2004024456.tif 000013
【図１２】
2004024456.tif 000014
【図１３】
2004024456.tif 000015